(57)【要約】【課題】火災等によってドアクローザの周囲の温度が異常に上昇したとしても、ドアクローザ本体から発煙したり、オイルに引火したりするおそれがなく、安全性の向上を図る。【解決手段】本発明に係るドアクローザ１は、扉２と扉２の周囲部材５のいずれか一方の部材に中継部材３を介して取り付けられるドアクローザ本体４と、扉２と扉２の周囲部材５のいずれか他方の部材とドアクローザ本体４とを連結するアーム７とを備え、中継部材３は熱融解性を有する部材により形成されていることを特徴とする。【選択図】図１
2012017646.tif 000002
【特許請求の範囲】
【請求項１】
扉と該扉の周囲部材のいずれか一方の部材に中継部材を介して取り付けられるドアクローザ本体と、
前記扉と該扉の周囲部材のいずれか他方の部材と前記ドアクローザ本体とを連結するアームとを備え、
前記中継部材は熱融解性を有する部材により形成されていることを特徴とするドアクローザ。
【請求項２】
前記中継部材は、前記一方の部材の外面と前記ドアクローザ本体との間に介装されるプレートである請求項１に記載のドアクローザ。
【請求項３】
前記中継部材は、前記一方の部材の内面に取り付けられる補強プレートである請求項１に記載のドアクローザ。
【請求項４】
前記アームは、一方の端部が前記ドアクローザ本体に枢着される第１アームと、一方の端部が前記他方の部材側に枢着される第２アームとを備え、該第２アームの他方の端部は前記第１アームの他方の端部の上方で枢支されている請求項１〜３のいずれか１の請求項に記載のドアクローザ。
【発明の詳細な説明】
【技術分野】
【０００１】
本発明は、出入口等において開放された扉を自動的に閉めるために取り付けられるドアクローザに関する。
【背景技術】
【０００２】
一般に、玄関や室内の出入口等において開放された扉を自動的に閉めるためにドアクローザが取り付けられている。
【０００３】
従来のドアクローザは、扉に取り付けられるドアクローザ本体と、扉枠に取り付けられるブラケットと、該ブラケットと前記ドアクローザ本体とを連結するリンク状のアームとを備えて構成されており、前記ドアクローザ本体に内蔵されたバネやオイルの粘性を利用した減速装置や調整弁の働きによって、開放された扉を安全な速度でスムーズに閉めることができるようになっている（例えば、特許文献１参照）。
【先行技術文献】
【特許文献】
【０００４】
【特許文献１】特開２００９−１８００３６号公報
【発明の概要】
【発明が解決しようとする課題】
【０００５】
しかしながら、上記した従来のドアクローザでは、火災等によって周囲の温度が異常に上昇すると、前記ドアクローザ本体の調整弁が緩んで落下し、内部のオイルが流出し、前記ドアクローザ本体から激しく発煙したり、流出したオイルに引火したりするおそれがあり、防災上問題が生じていた。
【０００６】
本発明は、上記した課題を解決すべくなされたものであり、火災等によってドアクローザの周囲の温度が異常に上昇したとしても、ドアクローザ本体から発煙したり、オイルに引火したりするおそれがなく、防災上極めて安全なドアクローザを提供することを目的とする。
【課題を解決するための手段】
【０００７】
本発明に係るドアクローザは、扉と該扉の周囲部材のいずれか一方の部材に中継部材を介して取り付けられるドアクローザ本体と、前記扉と該扉の周囲部材のいずれか他方の部材と前記ドアクローザ本体とを連結するアームとを備え、前記中継部材は熱融解性を有する部材により形成されていることを特徴とする。
【０００８】
前記中継部材は、前記一方の部材の外面と前記ドアクローザ本体との間に介装されるプレートであってもよく、或いは、前記一方の部材の内面に取り付けられる補強プレートであってもよい。
【０００９】
本発明に係るドアクローザにおいて、前記アームは、一方の端部が前記ドアクローザ本体に枢着される第１アームと、一方の端部が前記他方の部材側に枢着される第２アームとを備え、該第２アームの他方の端部は前記第１アームの他方の端部の上方で枢支されているのが好ましい。
【発明の効果】
【００１０】
本発明によれば、火災等によってドアクローザの周囲の温度が異常に上昇したとしても、ドアクローザ本体から発煙したり、オイルに引火したりするおそれがなく、安全性の向上を図ることができる。
【図面の簡単な説明】
【００１１】
【図１】本発明の実施の形態に係るドアクローザを示す斜視図である。
【図２】本発明の実施の形態に係るドアクローザにおいてドアクローザ本体の取付方法を示す分解斜視図である。
【図３】本発明の実施の形態に係るドアクローザにおいてアームの取付方法を示す分解斜視図である。
【図４】本発明の実施の形態に係るドアクローザのブラケットを示す斜視図である。
【図５】ドアクローザを設置した場所の周囲の温度が異常に上昇した際に、従来のドアクローザ及び本発明の実施の形態に係るドアクローザが取り付けられる扉表面と、従来のドアクローザと、本発明の実施の形態に係るドアクローザのそれぞれの温度が時間経過と共にどのように変化するかについて測定した結果を比較して示す図である。
【図６】本発明の実施の形態に係るドアクローザの変形例を示す断面図である。
【図７】図６の一点鎖線部分の拡大断面図である。
【図８】本発明の実施の形態に係るドアクローザのさらなる変形例を示す斜視図である。
【発明を実施するための形態】
【００１２】
次に、本発明の実施の形態に係るドアクローザについて、図面を参照して説明する。ここで、図１は本発明の実施の形態に係るドアクローザを示す斜視図、図２は本発明の実施の形態に係るドアクローザにおいてドアクローザ本体の取付方法を示す分解斜視図、図３は本発明の実施の形態に係るドアクローザにおいてアームの取付方法を示す分解斜視図、図４は本発明の実施の形態に係るドアクローザのブラケットを示す斜視図である。
【００１３】
本発明の実施の形態に係るドアクローザ１は、扉２の上端外面に中継部材であるプレート３を介して取り付けられるドアクローザ本体４と、扉２の周囲部材である扉２の上方の扉枠５に取り付けられるブラケット６と、ドアクローザ本体４とブラケット６とを連結するアーム７とを備えて構成されている。
【００１４】
図２に示されているように、プレート３は、矩形平板形状を成し、例えば鉛と錫の合金製で融点が１８０℃程度の熱溶解性を有する部材により形成されており、複数本のネジ８で扉２の上端外面側に固定されるようになっている。また、ドアクローザ本体４は、内蔵されたバネやオイルの粘性を利用した減速装置や調整弁の働きによって扉２の閉鎖速度を調整するものであり、直方体形状を成し、複数のネジ９でプレート３に固定されるようになっている。
【００１５】
図４に良く示されているように、ブラケット６は、扉枠５に沿って鉛直姿勢を成すブラケット固定部１０と、ブラケット固定部１０の下端から水平に延出されるアーム支持部１１とを備えて構成されている。ブラケット固定部１０には、複数（図示では４箇所）のネジ孔１２が形成されており、ネジ１３を各ネジ孔１２に通して螺挿することによりブラケット６が扉枠５に固定されるようになっている。また、アーム支持部１１の上面中央には、係合突起部１４が突設されている。
アーム７は、一方の端部１６ａがドアクローザ本体４の回転作用軸１５の上端部に枢着される第１アーム１６と、一方の端部１７ａがブラケット６のアーム支持部１１の係合突起部１４に枢着される第２アーム１７とを備えて構成されている。そして、第１アーム１６の他方の端部１６ｂの上面には枢軸部１８が突設されていると共に、第２アーム１７の他方の端部１７ｂにはこの枢軸部１８が下方から挿入されて係合される丸孔１９が形成されており、第２アーム１７の他方の端部１７ｂは第１アーム１６の他方の端部１６ｂの上方で枢支されている。また、第２アーム１７は、入れ子状を成し、長手方向に沿って伸縮可能に形成されており、アームの長さを調整可能となっている。
【００１６】
このような構成を備えたドアクローザ１を扉２及び扉枠５に取り付けた状態において、火災等が発生して周囲の温度が所定温度以上に上昇すると、プレート３は溶解する。この時、プレート３に固定されていたネジ９が緩むと共に、第１アーム１６の枢軸部１８は第２アーム１７の丸孔１９に下方から挿入されているだけで固定されていないため、第１アーム１６と第２アーム１７との係合状態は解除され、ドアクローザ本体４は第１アーム１６を伴って落下する。
【００１７】
ここで、図５は、ドアクローザを設置した場所の周囲の温度が異常に上昇した際に、従来のドアクローザ及び本発明の実施の形態に係るドアクローザ１が取り付けられる扉表面と、従来のドアクローザと、本発明の実施の形態に係るドアクローザ１のそれぞれの温度が時間経過と共にどのように変化するかについて測定した結果を比較して示す図である。この図５によれば、従来のドアクローザの温度は扉表面の温度が上昇するに伴って同じ様に上昇するのに対して、上記した本発明の実施の形態に係るドアクローザ１はプレート３の融点（１８０℃程度）付近でドアクローザ本体４が落下することにより、温度が４０℃程度まで急激に低下し、それ以降その状態が保たれることが分かる。したがって、上記した本発明の実施の形態のドアクローザ１によれば、周囲の温度が異常に上昇したとしても、ドアクローザ本体４から激しく発煙したり、流出したオイルに引火したりするおそれがなく、安全性を向上させることができる。
【００１８】
なお、中継部材としては、上記したプレート３の代わりに、図６及び図７に示すように、扉２の内面に取り付けた補強プレート２１を使用してもよい。この補強プレート２１は、矩形平板形状を成し、例えば鉛と錫の合金製で融点が１８０℃程度の熱溶解性を有する部材により形成されており、所定箇所に複数の雌ネジ２２が螺刻されている。一方、扉２及びドアクローザ本体４には、雌ネジ２２の位置に対応するように複数の通孔２３，２４がそれぞれ穿設されており、複数のネジ２５を各通孔２３，２４に通して各雌ネジ２２に螺挿することにより、ドアクローザ本体４が扉２に固定されるようになっている。なお、図６及び図７に示されているドアクローザ本体４は、他の図面に示されているドアクローザ本体４と形状等が多少異なっているが、実質的には同じものであるため、図６及び図７においても他の図面と同一符号を付している。
【００１９】
また、上記した本発明の実施の形態の説明では、扉２にプレート３を介してドアクローザ本体４を取付けると共に扉枠５にブラケット６を介してアーム７を取り付けているが、本発明の適用はこの場合に限定されるものではなく、例えば、上記した実施の形態とは反対に、扉枠５にプレート３を介してドアクローザ本体４を取付けると共に扉２にブラケット６を介してアーム７を取り付けてもよい。
【００２０】
この場合、図８に示すように、ブラケット６のアーム支持部１１はブラケット固定部１０の上端から水平に延出され、前記係合突起部１８（図８では図示省略）はアーム支持部１１の下面中央に突設される。また、アーム７の第１アーム１６の一方の端部１６ａはドアクローザ本体４の前記回転作用軸１５（図８では図示省略）の下端部に枢着され、前記枢軸部１８（図８では図示省略）は第２アーム１７の他方の端部１７ｂの下面に突設され、この枢軸部は第１アーム１６の他方の端部１６ｂに形成された前記丸孔１９（図８では図示省略）に上方から挿入される。
【００２１】
また、上記した本発明の実施の形態の説明では、プレート３が１８０℃程度の融点の鉛と錫の合金により形成されているが、これは単なる例示に過ぎず、プレート３は、ドアクローザ本体４に内蔵されているオイルの発火点より低い融点を有する熱溶解性を有する部材によって形成されていれば、上記した材質以外の材質によって形成されていてもよい。
【符号の説明】
【００２２】
１          ドアクローザ
２          扉
３          プレート（中継部材）
４          ドアクローザ本体
５          扉枠（扉の周囲部材）
７          アーム
１６        第１アーム
１６ａ      第１アームの一方の端部
１６ｂ      第１アームの他方の端部
１７        第２アーム
１７ａ      第２アームの一方の端部
１７ｂ      第２アームの他方の端部
２１        補強プレート（中継部材）
【図１】
2012017646.tif 000003
【図２】
2012017646.tif 000004
【図３】
2012017646.tif 000005
【図４】
2012017646.tif 000006
【図５】
2012017646.tif 000007
【図６】
2012017646.tif 000008
【図７】
2012017646.tif 000009
【図８】
2012017646.tif 000010